(57)【特許請求の範囲】
【請求項１】
所定の電圧値を越える電圧偏差について電圧を監視し，電圧値を越える電圧偏差が発生した場合に，制御装置によって制御される出力段（７から１２）をロックするためのリセット信号（ＲＳＴＥ）を出力する，制御装置の回路配置（１３）であって，
−基準電圧（ＲＥＦ）を発生させる手段と，
−前記基準電圧（ＲＥＦ）を，第１の比例係数で乗算された監視すべき電圧から得られる第１の比較電圧値と比較して，リセット信号（ＲＳＴＥ）を出力するための第１の比較器と，
−第２の比較器と
を有する，前記制御装置の回路配置において，
前記第２の比較器は，前記基準電圧（ＲＥＦ）と，第２の比例係数によって乗算された監視すべき電圧から得られる第２の比較電圧値とを比較し，かつ
前記第２の比較器が，リセット信号（ＲＳＴＥ）を出力し，
前記回路配置（１３）は，２つの分圧器を有しており，前記分圧器は一方では監視すべき電圧に接続されており，他方では接地されており，その場合に比較電圧値が分圧器のタップ（２３，２４）において取出し可能であり，
タップ（２３，２４）の１つにトランジスタ（３５，３６）のコレクタが接続されており，出力段（７から１２）を有効化する初期化信号がトランジスタ（３５，３６）に供給され、
前記第１の分圧器のタップ（２３）にトランジスタ（３５）のコレクタが接続されており，前記トランジスタのエミッタは監視すべき電圧に接続されており，かつそのベースは制御装置の計算機（２）の第２の接続端（Ｐｏｒｔ１）に接続されており，かつプルダウン抵抗（３９）を介して接地されており，トランジスタ（３５）の駆動電圧は前記第１の比較器の駆動電圧以下である，
ことを特徴とする，制御装置の回路配置。
【請求項２】
前記分圧器の抵抗（１９，２０；２１，２２）は，第１の分圧器のタップ（２３）における第１の比較電圧値が過大電圧しきい値を示し，第２の分圧器のタップ（２４）における比較電圧値が過小電圧しきい値を示すように選択されている，
ことを特徴とする請求項１に記載の回路配置。
【請求項３】
前記比較器が，コンパレータ（１７，１８）として形成されている，ことを特徴とする請求項１または２に記載の回路配置（１３）。
【請求項４】
前記第１の比較器（１７）においては，前記基準電圧（ＲＥＦ）が正（＋）の入力に，かつ前記第１の比較電圧値が負（−）の入力に印加され，及び前記第２の比較器（１８）においては基準電圧（ＲＥＦ）は負（−）の入力に，かつ第２の比較電圧値が正（＋）の入力へ印加される，
ことを特徴とする請求項３に記載の回路配置（１３）。
【請求項５】
前記基準電圧の発生手段は，基準電圧ダイオード（１４）として形成されている，ことを特徴とする請求項１から４のいずれか１項に記載の回路配置（１３）。
【請求項６】
前記第２の分圧器のタップ（２４）にトランジスタ（３６）のコレクタが接続されており，前記トランジスタのエミッタは接地され，かつそのベースは制御装置の計算機（２）の第２の接続端（Ｐｏｒｔ２）に接続されており，かつプルダウン抵抗（４０）を介して監視すべき電圧に接続されている，ことを特徴とする請求項１から５のいずれか１項に記載の回路配置（１３）。
【請求項７】
前記制御装置の計算機（２）は，接続端（Ｐｏｒｔ１，Ｐｏｒｔ２）に，その制御装置が確実に作動する状態にある間，出力段（７から１２）をイネーブルにする初期化信号を印加する，ことを特徴とする請求項１〜６のいずれか１項に記載の回路配置（１３）。
【請求項８】
前記監視すべき電圧は，制御装置の供給電圧（ＶＣＣ）である，ことを特徴とする請求項１から７のいずれか１項に記載の回路配置（１３）。
【発明の詳細な説明】
【０００１】
本発明は，所定の電圧値を越える電圧偏差について電圧を監視して，電圧値を越える電圧偏差が発生した場合に，制御装置により制御される出力段をロックするリセット信号を出力するための，制御装置の回路配置に関し，
−基準電圧を発生させる手段と，
−基準電圧を，第１の比例係数によって乗算された監視すべき電圧から得られる第１の比較電圧値と比較して，リセット信号を出力するための第１の比較器と，
−第２の比較器と，
を有する。
【０００２】
従来技術
かかる回路配置は，例えばＤＥ４０２３７００Ｃ２から既知である。そこには，電子装置，特にマイクロ計算機，の信号列の周波数を監視するための回路配置が開示されている。マイクロ計算機は，出力段，例えば内燃機関の電気的な要素（センサ及びアクチュエータ）を制御する。周波数を監視するための回路配置は，電圧，例えばマイクロ計算機の供給電圧，を監視するための回路配置も有する。
【０００３】
電圧を監視するための既知の回路配置は，基準電圧を発生させるためのＺ−ダイオードを有する。Ｚ−ダイオードは，一方では参照電圧に接続されており，他方では抵抗を介して接地されている。回路配置は，さらに，第１の比較器と演算増幅器として形成された第２の比較器とを有する。第１の比較器は，過大電圧しきい値を越えることについて供給電圧を監視するために使用される。第１の比較器の正の入力には，基準電圧が印加される。第１の比較器の負の入力には，分圧器の抵抗において取り出される過大電圧しきい値が印加される。分圧器は，一方では供給電圧に接続されており，他方では接地されている。分圧器の抵抗を好適に選択することにより比例係数を定めることができ，過大電圧しきい値のための所望の電圧値を得るために，供給電圧がその比例係数で乗算される。第１の比較器の出力は，エラー場合，即ち供給電圧が過大電圧しきい値を上回った場合に，出力段をロックするための第１のリセット信号を供給する。
【０００４】
リセット信号は，第２の比較器の正の入力へ印加される。第２の比較器の負の入力には，基準電圧が印加される。第２の比較器の出力には，周辺の構成素子をロックするための第２のリセット信号が出力される。第２のリセット信号は，基準電圧が第１のリセット信号の電圧よりも大きい場合にのみ出力される。
【０００５】
従って既知の回路配置によっては，過大電圧しきい値を上回ることについてのみ，電圧を監視することができる。過小電圧しきい値を下回ることについて，電圧を同時に監視することは不可能である。さらに，既知の回路配置においては，回路配置のスタートアップの際に（パワーオンの場合），２つの比較器は供給電圧の上昇の間，比較器の駆動電圧が達成されるまで定まらない状態にある，という問題が生じる。比較器のこの定まらない状態は，電圧を監視するための回路配置の誤機能をもたらす恐れがある。
【０００６】
本発明の課題は，冒頭で挙げた種類の回路配置を，その回路配置が２つの独立した，自由設定可能な比較電圧値の超過あるいは過小について，監視すべき電圧を監視することができるように構成し，かつ展開することである。
【０００７】
この課題を解決するために，本発明は，冒頭で挙げた種類の回路配置に基づいて，第２の比較器が基準電圧を，第２の比例係数により乗算された監視すべき電圧から得られる第２の比較電圧値と比較し，かつ第２の比較器がリセット信号を出力することを提案する。
【０００８】
本発明によれば，監視すべき電圧値を，一方では独立した過大電圧しきい値を上回ることについて，そして他方では独立した過小電圧しきい値を下回ることについて監視することができるようにするためには，２つの比較器は互いに結合されてはならないことが認識された。
【０００９】
この理由から，本発明によれば，２つの増幅器に各々比例係数により自由設定可能な比較電圧値が印加される。本発明にかかる回路配置は電圧を，２つの比較電圧値により画される電圧ウィンドウを逸脱する正と負の電圧偏差について監視する。２つの比較電圧値は，２つの比較器において各々基準電圧と比較される。監視すべき電圧が比較電圧値を上回り，あるいは下回った場合には，少なくとも一方の比較器の出力に，出力段をロックするためのリセット信号が出力される。このようにして，監視すべき電圧を上回った場合にも，下回った場合にも，出力段が定まらずに作動する計算機コアによって定まらずに切り替わることを，防止することができる。
【００１０】
監視すべき電圧は，好ましくは計算機コアの供給電圧である。
【００１１】
本発明の好ましい展開によれば，回路配置が２つの分圧器を有しており，それら分圧器は一方では監視すべき電圧に接続され，他方では接地されて，その場合に比較電圧値は分圧器のタップにおいて取出し可能であることが，提案される。分圧器の抵抗を好適に選択することによって，比例係数を自由に定めることができる。監視すべき電圧を比例係数で乗算することによって，比較器に印加される比較電圧値を調節することができる。
【００１２】
本発明にかかる回路配置においては，各比較器に専用の分圧器が付設されることによって，両方の比較器に印加される比較電圧値を互いに独立して自由に選択することができる。このようにして上方の過大電圧しきい値と下方の過小電圧しきい値とを有する，通常の場合においては監視すべき電圧がその中にある任意の電圧ウィンドウを定めることができる。電圧がかかる電圧ウィンドウを逸脱すると即座に，リセット信号が作動されて出力段がロックされる。
【００１３】
それに従って本発明の好ましい実施形態においては，分圧器の抵抗は，第１の分圧器のタップにおける第１の比較電圧値が過大電圧しきい値を表し，第２の分圧器のタップにおける第２の比較電圧値が過小電圧しきい値を表すように選択されることが，提案される。
【００１４】
本発明の特に好ましい実施形態においては，比較器は，コンパレータとして形成されている。コンパレータは，例えば感度の大きい負帰還されない差増幅器として形成されている。トライステートモードで接続されているコンパレータの出力（オープンコレクタ）は，非作動状態においては高電位にある（ＨＩ）。各々コンパレータの入力がどのように配線されているかに応じて，コンパレータは比較電圧しきい値を上回った場合，あるいは比較電圧しきい値を下回った場合に，低電位（ＬＯ）に切り替わる。
【００１５】
好ましくは，第１のコンパレータにおいて基準電圧が正の入力に，そして第１の比較電圧値が負の入力に印加され，第２のコンパレータにおいては基準電圧が負の入力に，そして第２の比較電圧値が正の入力に印加される。従って第１のコンパレータは，監視すべき電圧が過大電圧しきい値を上回ったかを監視する。そうである場合には，第１のコンパレータの出力がＬＯに切り替わる。第２のコンパレータは，監視すべき電圧が過小電圧しきい値を下回ったかを監視して，必要に応じてその出力をＬＯに切り替える。
【００１６】
基準電圧を発生させる手段は，好ましくは基準電圧ダイオードとして形成されている。
【００１７】
第２の分圧器のタップには，本発明の好ましい実施形態によれば，トランジスタのコレクタが接続されており，そのトランジスタのエミッタは監視すべき電圧に接続されており，そのベースは制御装置の計算機の第１の接続端に接続されており，かつプルダウン抵抗を介して接地されている。
【００１８】
同様に，第２の分圧器のタップにはトランジスタのコレクタが接続され，そのトランジスタのエミッタは接地され，かつそのベースは制御装置の計算機の第２の接続端に接続されており，かつプルダウン抵抗を介して監視すべき電圧に接続されていることが，提案される。
【００１９】
分圧器の前段に接続されたトランジスタによって，コンパレータは制御装置の供給電圧のスタートアップの際に定まった状態にあることが保証される。制御装置のスタートアップの間，制御装置の供給電圧はある瞬間から次の瞬間へ突然に上昇するのではなく，比較的長い期間にわたって連続的に上昇する。コンパレータは，所定の駆動電圧から初めて確実に作動するので，コンパレータは制御装置のスタートアップの間に駆動電圧に達する前に定まらない状態になる危険がある。それに対してトランジスタは，コンパレータの駆動電圧のずっと下にある駆動電圧から既に作動する。従って制御装置のスタートアップの際に，まずトランジスタがその駆動電圧で作動して，コンパレータを定まった状態にする。トランジスタはそのために，それがまだ駆動電圧に到達していない時でも，定まった状態にあるように，配線されている。
本発明の他の好ましい実施形態によれば，制御装置の計算機は回路配置への接続端に，その制御装置が確実に作動する状態にある間，出力段をイネーブルにするための初期化信号を出力することが，提案される。コンパレータは所定の駆動電圧から初めて確実に作動するので，コンパレータが制御装置のスタートアップの間駆動電圧に達する前に定まらない状態になる危険がある。これを防止するために，本発明にかかる回路配置においては，コンパレータは回路配置への接続端の，計算機の初期化信号に応じて初めて作動する。
【００２０】
図１は，複数の出力段（７から１２）を介して車両の内燃機関を制御する，制御装置のためのリセットパスのブロック回路図を示している。制御装置は，特に内燃機関のインジェクタ，排ガス還流調節器，コモン−レール−圧力のための圧力制御器，電気的な燃料ポンプ，可変のターボ幾何学配置及び空調装置コンプレッサを制御する。
【００２１】
制御装置は，スタビライザ１を有しており，そのスタビライザはそれ自体一定の供給電圧ＶＣＣ＝５Ｖを計算機２に供給する。計算機２は，計算機コア３，例えばゲートアレイとして形成されている，プログラミング可能な論理的構成素子（ＰＬＤｓ）４，電気的に消去可能な固定値メモリ（ＥＥＰＲＯＭｓ）５及びフラッシュメモリ（Ｆｌａｓｈ−ＥＰＲＯＭｓ）６を有する。計算機２は，４．５Ｖから５．５Ｖの供給電圧範囲用に特殊化されており，この範囲外にある供給電圧ＶＣＣによっては，計算機２は信頼できるように機能しない。従って制御装置によって駆動される出力段は，安全理由から，供給電圧ＶＣＣが４．５Ｖから５．５Ｖの範囲を逸脱すると即座に，オフにされなければならない。
【００２２】
供給電圧ＶＣＣは，例えば制御装置をスタートアップする場合，あるいはスタビライザ１が故障した場合にはその公称値ＶＣＣ＝５Ｖから外れ，それによって４．５Ｖから５．５Ｖの供給電圧範囲を逸脱する場合がある。スタビライザ１内の電圧制御器の故障は，過大電圧，スタビライザ１内の短絡，所定の状況の下では，過小電圧をもたらす場合がある。
【００２３】
スタビライザ１は，供給電圧ＶＣＣが４．６Ｖよりも低い場合に（ＶＣＣ＜４．６Ｖ）接続端ＰＯＲＩを介して計算機コア３，ＰＬＤｓ４，ＥＥＰＲＯＭｓ５及びフラッシュメモリ６においてリセットを実施する過小電圧リセットを有する。計算機２の接続端Ｐｏｒｔ１とＰｏｒｔ２には，このような場合には初期化信号は印加されない（Ｔｒｉ−Ｓｔａｔｅ）。
【００２４】
制御装置はさらに，本発明にかかる回路配置１３を有しており，それが図１では象徴的にのみ，そして図２では詳細に示されている。回路配置１３は，制御装置の計算機２が定まらない状態にある場合に，即ち供給電圧ＶＣＣが４．５Ｖから５．５Ｖの範囲外にある場合に，制御装置によって制御される出力段７から１２を確実にロックする，という課題を有する。そのために回路配置１３は供給電圧ＶＣＣを監視して，供給電圧ＶＣＣが過小電圧しきい値の下方及び過大電圧しきい値の上方にある場合に，リセット信号ＲＳＴＥを出力段８から１２へ，あるいは反転されたリセット信号ＲＳＴＩをインジェクタ７に出力する。しかし，回路配置１３のリセット信号ＲＳＴＥとＲＳＴＩは，計算機２の初期化信号に応じて初めて接続端Ｐｏｒｔ１とＰｏｒｔ２においてイネーブルにされる。
【００２５】
回路配置１３（図２を参照）は，公称２．５Ｖの一定の基準電圧ＶＲＥＦを発生させる基準電圧ダイオード１４を有する。基準電圧ＶＲＥＦは，供給電圧ＶＣＣが少なくとも２．５Ｖである間は，一定である。供給電圧ＶＣＣが２．５Ｖ以下に低下すると，基準電圧ＶＲＥＦは供給電圧ＶＣＣと共に０Ｖまで低下する。基準電圧ＶＲＥＦは，基準電圧ダイオード１４の接続端ＲＥＦに印加される。基準電圧ダイオード１４の接続端ＡＮ１からＡＮ４は，アースに接続されている。基準電圧ダイオード１４の接続端ＮＣは，接続されていない（ｎｏｔ  ｃｏｎｎｅｃｔｅｄ，ＮＣ）。アースに接続されている基準電圧ダイオード１４に並列に，コンデンサ１６が接続されている。基準電圧ダイオード１４の接続端ＲＥＦは，抵抗１５を介して供給電圧ＶＣＣに接続されている。抵抗１５は，基準電圧ダイオード１４を流れる電流を制限するために使用される。コンデンサは，基準電圧ダイオード１４の振動傾向を除去するために使用される。
【００２６】
基準電圧は，過大電圧しきい値を上回ることについて供給電圧ＶＣＣを監視する第１の比較器１７の正（＋）の入力，及び過小電圧しきい値を下回ることについて供給電圧ＶＣＣを監視する第２の比較器１８の負（−）の入力に印加される。２つの比較器１７，１８は，オープンコレクタ出力ＯＵＴを有する二重比較器として形成されている。
【００２７】
第１の比較器１７の（−）入力には，２つの抵抗１９と２０の間のタップ２３に生じる電圧が印加される。２つの抵抗１９と２０は，供給電圧ＶＣＣとアースとの間に接続されており，分圧器を形成している。従ってタップ２３に生じる電圧は，供給電圧ＶＣＣと２つの抵抗１９，２０の抵抗値に依存する。２つの抵抗１９，２０を好適に選択することにより，供給電圧ＶＣＣの過大電圧しきい値を調節することができる。抵抗１９と２０は，本実施例においては，５．５Ｖの過大電圧しきい値が生じるように選択される。より正確に言うと，抵抗１９，２０は，タップ２３に，供給電圧ＶＣＣが５．５Ｖ以下の状態が続いている間は，基準電圧ＶＲＥＦよりも小さい電圧が生じるように選択される。
【００２８】
同様に，第２の比較器１８の（＋）入力には，２つの抵抗２１，２２の間のタップ２４に生じる電圧が印加される。２つの抵抗２１，２２は，同様に，供給電圧ＶＣＣとアースとの間に接続されている。タップ２４に生じる電圧は，供給電圧ＶＣＣと２つの抵抗２１，２２の抵抗値に依存する。２つの抵抗２１，２２を好適に選択することによって，供給電圧ＶＣＣの過小電圧しきい値を調節することができる。抵抗２１，２２は，本実施例においては，４．５Ｖの過小電圧しきい値が生じるように選択される。より正確に言うと，抵抗２１，２２は，供給電圧ＶＣＣが４．５Ｖ以上の状態が続いている間は，基準電圧ＶＲＥＦよりも高い電圧が生じるように，選択される。
【００２９】
従って本発明にかかる回路配置１３によって，供給電圧ＶＣＣを過大電圧しきい値を上回ることについても，過小電圧しきい値を下回ることについても監視することができる。過大電圧しきい値も，過小電圧しきい値も，互いに独立して調節することができる。
【００３０】
比較器１７，１８は，いわゆるトライステートモードで接続されているので，比較器１７；１８の出力ＯＵＴは，比較器１７；１８の非作動状態においては抵抗２５によってＨＩ（高電位）に接続される。第１の比較器１７の出力ＯＵＴは，タップ２３から（−）入力に印加された電圧が，（＋）入力に印加されている基準電圧ＶＲＥＦの上にある場合，即ち供給電圧ＶＣＣが過大電圧しきい値を上回った場合には，ＬＯ（低電位）に切り替わる。同様に第２の比較器１８の出力ＯＵＴは，タップ２４から（＋）入力に印加されている電圧が，（−）入力に印加されている基準電圧ＶＲＥＦの下にある場合，即ち供給電圧ＶＣＣが過小電圧しきい値を下回った場合に，ＬＯに切り替わる。比較器１７，１８の出力ＯＵＴは，プルアップ抵抗２５を介して供給電圧ＶＣＣに接続されている。プルアップ抵抗２５は，比較器１７，１８の出力ＯＵＴにＨＩ−状態の導入のために必要とされる。
【００３１】
第２の比較器１８の（＋）入力と出力ＯＵＴとの間には，ヒステリシス抵抗２６が接続されている。ヒステリシス抵抗２６は，過小電圧パス内にのみ設置されている。というのは，過小電圧しきい値は上からも（供給電圧ＶＣＣが過小電圧しきい値の上の値（例えば５Ｖ）から過小電圧しきい値の下の値（例えば４Ｖ）に低下する場合），下からも（制御装置あるいは供給電圧ＶＣＣのスタートアップ（パワーオン））も通過できるからである。パワーオンの場合においては，ヒステリシスにより供給電圧ＶＣＣ＜４．５Ｖの向う側でも供給電圧ＶＣＣ＜４．７Ｖまで過小電圧が検出される。
【００３２】
比較器１７，１８の出力ＯＵＴにおけるＬＯ状態は，リセット信号ＲＳＴＥに相当する。リセット信号ＲＳＴＥが出力される，回路配置１３の接続端２７と比較器１７，１８との間に，制限抵抗２８が直列に接続されている。制限抵抗２８は，出力段７から１２のいずれかのエラー場合において，必要に応じて，エラーのある出力段７から１２から回路配置１３へ還流する電流を比較器１７；１８の最大低下電流に制限するために使用される。本実施例においては，制限抵抗は，還流する電流が１６ｍＡに制限されるように選択されている。
【００３３】
回路配置１３の接続端２９には，反転されたリセット信号ＲＳＴＩが出力される。リセット信号ＲＳＴＥから反転されたリセット信号ＲＳＴＩを得るために，接続端２９と比較器１７，１８との間にインバータ３０が配置されている。インバータ３０は，直列に接続された第１の抵抗３１，アースに接続された第２の抵抗３２及びトランジスタ３３を有しており，そのトランジスタのエミッタはアースに接続され，そのコレクタは第３の抵抗３４を介して供給電圧ＶＣＣに接続されている。接続端２９は，インバータ３０のコレクタから取り出される。
【００３４】
インバータ３０の入力において，ＬＯ−状態でリセット信号ＲＳＴＥが印加されると，トランジスタ３３は遮断されて，接続端２９には抵抗３４を介して供給電圧ＶＣＣが印加され，それはＨＩ−状態に相当する。それに対してインバータ３０の入力にＨＩ−状態においてリセット信号ＲＳＴＥが印加された場合には，トランジスタ３３は導通位置に切り替わり，接続端２９は接地され，それはＬＯ−状態に相当する。
【００３５】
制御装置の電圧供給のスタートアップの間供給電圧ＶＣＣはある瞬間から次の瞬間へ突然に上昇するのではなく，比較的長い期間にわたって連続的に，本実施例においては０Ｖから５Ｖに上昇する。比較器１７，１８は，所定の供給電圧ＶＣＣ（駆動電圧）から初めて確実に作動するので，比較器１７，１８は制御装置のスタートアップの間駆動電圧に達する前に定まらない状態になる危険がある。これを阻止するために，本発明にかかる回路配置１３においては，比較器１７，１８は，Ｐｏｒｔ１とＰｏｒｔ２に印加される計算機２の初期化信号に基づいてようやく作動する。初期化信号は，ＨＩに接続されたＰｏｒｔ１とＬＯに接続されたＰｏｒｔ２からなる。かかる初期化信号によって，出力段７から１２は制御装置の電圧供給のスタートアップの際に，計算機２が確実に作動する前にイネーブルにされることを阻止しようとしている。
【００３６】
初期化信号を処理するために，タップ２３，２４には各々トランジスタ３５，３６のコレクタが接続されている。トランジスタ３５のエミッタは，供給電圧ＶＣＣに接続されており，トランジスタ２６のエミッタは接地されている。トランジスタ３５，３６とＰｏｒｔ１及びＰｏｒｔ２との間には，各々抵抗３７，３８が直列に接続されている。Ｐｏｒｔ１は，プルダウン抵抗３９を介して接地されている。Ｐｏｒｔ２は，プルダウン抵抗４０を介して供給電圧ＶＣＣに接続されている。出力段７から１２をイネーブルにするためには，４つの条件が必要である：
−供給電圧ＶＣＣ＞過小電圧しきい値
−供給電圧ＶＣＣ＜過大電圧しきい値
−Ｐｏｒｔ１はＨＩに接続されており，
−Ｐｏｒｔ２はＬＯに接続されている。
【００３７】
トランジスタは，約１Ｖの駆動電圧から，通常は特に０．７Ｖの駆動電圧から，既に確実に作動する。トランジスタの駆動電圧は，比較器または演算増幅器の駆動電圧以下にある。従って制御装置のスタートアップの間に，まずトランジスタ３５，３６がその駆動電圧に達する。それによって比較器１７，１８はトランジスタ３５，３６によって定まった状態にされる。トランジスタ３５，３６自体は，それらがまだ駆動電圧に達していない場合でも定まった状態にあるように，配線されている。従って本発明にかかる回路配置１３によって，比較器１７，１８はまだ制御装置がオンになる前の制御装置のスタートアップの際でも，定まった状態にあることが，達成される。
【００３８】
当業者は，本回路配置１３を多数の異なる方法で実現することができる。これら全ての様々な実現方法は，上記発明の対象に含まれる。特に，比較器１７，１８の代わりに演算増幅器を使用することが考えられる。さらに，リセット信号ＲＳＴＥをインバータ３０によって反転させる代わりに，リトリガー可能な単安定のフリップフロップ（ＲＳ−Ｆｌｉｐ−Ｆｌｏｐ）によって反転させることも可能である。また，基準電圧ダイオード１４の代わりに，Ｚ−ダイオードを使用することも考えられる。
【００３９】
図３には，供給電圧ＶＣＣの推移の例とそれに基づいて，本発明による回路配置１３において得られるリセット信号ＲＳＴＥが示されている。供給電圧ＶＣＣのために，５ＶのオフセットとＶＰＰ＝２Ｖの振幅を有する三角形信号が選択された。従って供給電圧ＶＣＣは，４Ｖと６Ｖの間で変動する。過大電圧しきい値ＶＯＳは５．５Ｖにセットされ，過小電圧しきい値ＶＵＳは４．５Ｖに設定された。比較器１７，１８は，いわゆるトライステートモードで接続されているので，比較器１７，１８の非作動状態における比較器１７，１８の出力ＯＵＴとそれに伴ってリセット信号ＲＳＴＥは，ＨＩに切り替わっている。非作動状態は，供給電圧ＶＣＣが過大電圧しきい値ＶＯＳと過小電圧しきい値ＶＵＳとによって制限される電圧ウィンドウの内部にある場合に，存在する。比較器１７，１８の非作動状態において，さらにＰｏｒｔ１がＨＩに，そしてＰｏｒｔ２がＬＯに切り替わっている場合に，出力段７から１２がイネーブルにされる。
【００４０】
図３に示される信号推移の開始時に（ｔ＜ｔ１），供給電圧ＶＣＣは電圧ウィンドウの内部にあって，リセット信号ＲＳＴＥはＨＩに切り替わっている。時点ｔ１で，供給電圧ＶＣＣが過大電圧しきい値ＶＯＳを上回る。その結果リセット信号ＲＳＴＥがＨＩからＬＯへ変わり，出力段７から１２はロックされる。供給電圧ＶＣＣはさらに上昇して，その最大値の６Ｖに達し，その後再び下降して，時点ｔ２で過大電圧しきい値ＶＯＳを下回り，再び電圧ウィンドウ内へ進入する。それによってリセット信号ＲＳＴＥはまたＨＩに切り替わり，出力段７から１２は，Ｐｏｒｔ１とＰｏｒｔ２に初期化信号が印加されている間，即ちＰｏｒｔ１がＨＩに，そしてＰｏｒｔ２がＬＯに接続されている間，再びイネーブルにされる。
【００４１】
供給電圧ＶＣＣは再び下降して，時点ｔ３で過小電圧しきい値ＶＵＳ２を下回って，その結果リセット信号ＲＳＴＥがＨＩからＬＯへ変わり，出力段７から１２は再びロックされる。時点ｔ４で供給電圧ＶＣＣは過小電圧しきい値ＶＵＳ１を上回り，リセット信号ＲＳＴＥは再びＨＩに変わる。出力段７から１２は，Ｐｏｒｔ１とＰｏｒｔ２に初期化信号が印加されている間，再びイネーブルにされる。ＶＵＳ１とＶＵＳ２の間の差は，ヒステリシス抵抗２６によって調節されるヒステリシスである。そして供給電圧ＶＣＣが過大電圧しきい値ＶＯＳを時点ｔ５で再び上回り，リセット信号はＨＩからＬＯへ変わり，出力段７から１２は再びロックされる。
【図面の簡単な説明】
本発明の好ましい実施例を，図面を用いて以下で詳細に説明する。その場合に：
【図１】  図１は，象徴的に示す本発明にかかる回路配置を有する制御装置のためのリセットパスのブロック回路図を示し，
【図２】  図２は，第１の実施形態に基づく本発明による回路配置を示し，かつ，
【図３】  図３は，図２に示す回路配置において選択された信号の推移を示している。
【図１】
0004550336.tif 000002
【図２】
0004550336.tif 000003
【図３】
0004550336.tif 000004